(57)【要約】【課題】他車両の運転特性に基づく他車両の動作の予測精度を向上する。【解決手段】自車両１の周囲における他車両２の動作を予測する動作予測方法（Ｓ６）において、特定の第１運転環境に基づいて他車両の第１運転特性を推定し（Ｓ１５）、第１運転特性に基づいて、第１運転環境とは異なる第２運転環境における他車両の第２運転特性を演算し（Ｓ１６）、他車両の運転環境が第１運転環境から第２運転環境になった場合、第２運転特性に基づいて前記他車両の動作を予測する（Ｓ１７、Ｓ２１）。【選択図】図６
2019151309.tif 000002
【特許請求の範囲】
【請求項１】
自車両の周囲における他車両の動作を予測する動作予測方法であって、
特定の第１運転環境に基づいて前記他車両の第１運転特性を推定し、
前記第１運転特性に基づいて、前記第１運転環境とは異なる第２運転環境における前記他車両の第２運転特性を演算し、
前記他車両の運転環境が前記第１運転環境から前記第２運転環境になった場合、前記第２運転特性に基づいて前記他車両の動作を予測することを特徴とする動作予測方法。
【請求項２】
前記他車両の前方環境が前記第１運転環境から前記第２運転環境になったことに基づき、前記第２運転特性を演算することを特徴とする請求項１に記載の動作予測方法。
【請求項３】
前記第１運転特性及び前記第２運転特性にそれぞれ基づいて前記他車両の前記動作として予測された各第１予測軌道と、前記他車両の実際の挙動に基づき予測された前記他車両の第２予測軌道と、の間の各比較結果に基づいて、前記第１運転特性に基づく前記第１予測軌道及び前記第２運転特性に基づく前記第１予測軌道のいずれかを選択することを特徴とする請求項１又は２に記載の動作予測方法。
【請求項４】
前記第１運転特性は運転操作が比較的急な第１特性及び運転操作が比較的緩慢な第２特性のいずれか一方であり、前記第２運転特性は前記第１特性及び前記第２特性の他方であることを特徴とする請求項１〜３のいずれか一項に記載の動作予測方法。
【請求項５】
前記他車両の周囲環境が前記第１運転環境から前記第２運転環境になったこととして、平均的な車両の走行速度又は法定速度よりも低速で走行する車両が前記他車両の先行車両となったことに基づいて、前記第１特性である前記第２運転特性を演算することを特徴とする請求項４に記載の動作予測方法。
【請求項６】
前記他車両の周囲環境が前記第１運転環境から前記第２運転環境になったこととして、前記他車両の先行車両と前記他車両とが接近することに基づいて、前記第１特性である前記第２運転特性を演算することを特徴とする請求項４又は５に記載の動作予測方法。
【請求項７】
前記他車両の周囲環境が前記第１運転環境から前記第２運転環境になったこととして、前記他車両の前方に障害物が現れたことに基づいて、前記第１特性である前記第２運転特性を演算することを特徴とする請求項４〜６のいずれか一項に記載の動作予測方法。
【請求項８】
前記他車両の周囲環境が前記第１運転環境から前記第２運転環境になったこととして、渋滞最後尾の車両が前記他車両の先行車両となったことに基づいて、前記第１特性である前記第２運転特性を演算することを特徴とする請求項４〜７のいずれか一項に記載の動作予測方法。
【請求項９】
前記他車両の周囲環境が前記第１運転環境から前記第２運転環境になったこととして、停止すると予測されるバスが前記他車両の先行車両となったことに基づいて、前記第１特性である前記第２運転特性を演算することを特徴とする請求項４〜８のいずれか一項に記載の動作予測方法。
【請求項１０】
前記他車両の周囲環境が前記第１運転環境から前記第２運転環境になったこととして、前記他車両の前方の路面が低μへ変化したことに基づいて、前記第２特性である前記第２運転特性を演算することを特徴とする請求項４〜９のいずれか一項に記載の動作予測方法。
【請求項１１】
前記他車両の周囲環境が前記第１運転環境から前記第２運転環境になったこととして、前記他車両の前方の視界が悪化したことに基づいて、前記第２特性である前記第２運転特性を演算することを特徴とする請求項４〜１０のいずれか一項に記載の動作予測方法。
【請求項１２】
前記他車両の周囲環境が前記第１運転環境から前記第２運転環境になったこととして、通行人の多い場所を前記他車両が走行することが予想されることに基づいて、前記第２特性である前記第２運転特性を演算することを特徴とする請求項４〜１１のいずれか一項に記載の動作予測方法。
【請求項１３】
前記他車両の周囲環境が前記第１運転環境から前記第２運転環境になったこととして、前記他車両の前方に警察関連施設が存在することに基づいて、前記第２特性である前記第２運転特性を演算することを特徴とする請求項４〜１２のいずれか一項に記載の動作予測方法。
【請求項１４】
前記他車両の周囲環境が前記第１運転環境から前記第２運転環境になったこととして、前記他車両の周囲に警察車両が存在することに基づいて、前記第２特性である前記第２運転特性を演算することを特徴とする請求項４〜１３のいずれか一項に記載の動作予測方法。
【請求項１５】
自車両の周囲における他車両の動作を予測するコントローラを備える動作予測装置であって、
前記コントローラは、
特定の第１運転環境に基づいて前記他車両の第１運転特性を推定し、
前記第１運転特性に基づいて、前記第１運転環境とは異なる第２運転環境における前記他車両の第２運転特性を演算し、
前記他車両の運転環境が前記第２運転環境になった場合、前記第２運転特性に基づいて前記他車両の動作を予測することを特徴とする動作予測装置。
【発明の詳細な説明】
【技術分野】
【０００１】
本発明は、動作予測方法及び動作予測装置に関する。
【背景技術】
【０００２】
特許文献１には、他車両の動作に応じて警報及び／又は自車両を制御する車両走行制御装置が開示されている。車両走行制御装置は、隣接車両が自車両の走行車線に車線変更した場合、隣接車両と自車両との車間距離が設定車間距離よりも短くても、隣接車両は自車両から遠ざかる相対速度であるとき、警報及び／又は自車両を減速するための制御を制限する制限手段を備える。
【先行技術文献】
【特許文献】
【０００３】
【特許文献１】特開２００５−１９９９３０号公報
【発明の概要】
【発明が解決しようとする課題】
【０００４】
車両の動作は、その車両の運転特性、すなわち運転者がどのような運転をする傾向を有するかによって異なり、さらに同じ運転者が運転する車両であっても周囲環境の変化によって運転特性が変化することがある。
このため、例えば特許文献１のように他車両と自車両との相対速度に基づいて警報及び／又は自車両を制御しても、運転特性の違いによる他車両の動作の違いや、周囲環境の変化による運転特性の変化に伴う他車両の動作の変化によって、自車両の乗員が違和感を覚えることがある。
本発明は、他車両の運転特性に基づく他車両の動作の予測精度を向上することを目的とする。
【課題を解決するための手段】
【０００５】
本発明の一態様によれば、自車両の周囲における他車両の動作を予測する動作予測方法が当たられる。この動作予測方法では、特定の第１運転環境に基づいて他車両の第１運転特性を推定し、第１運転特性に基づいて、第１運転環境とは異なる第２運転環境における他車両の第２運転特性を演算し、他車両の運転環境が第１運転環境から第２運転環境になった場合、第２運転特性に基づいて前記他車両の動作を予測する。
【発明の効果】
【０００６】
本発明によれば、他車両の運転特性に基づく他車両の動作の予測精度が向上する。
【図面の簡単な説明】
【０００７】
【図１】実施形態の動作予測方法により予測される他車両の動作の一例を示す図である。
【図２】実施形態の走行支援装置の概略構成の一例を示すブロック図である。
【図３】実施形態の動作予測方法により予測される他車両の動作の他の一例を示す図である。
【図４Ａ】動作候補として予測した基本軌道と実際の挙動に基づき予測した実効軌道との差の一例の説明図である。
【図４Ｂ】動作候補として予測した基本軌道と実際の挙動に基づき予測した実効軌道との差の他の一例の説明図である。
【図５】実施形態の走行支援装置の動作の一例を示すフローチャートである。
【図６】他車両動作予測ステップの一例の詳細を示すフローチャートである。
【図７】動作候補予測ステップの一例の詳細を示すフローチャートである。
【図８】運転特性推定ステップの一例の詳細を示すフローチャートである。
【図９】運転特性推定ステップの他の一例の詳細を示すフローチャートである。
【図１０】運転特性修正ステップの一例の詳細を示すフローチャートである。
【発明を実施するための形態】
【０００８】
以下、本発明の実施形態について、図面を参照しつつ説明する。なお、各図面は模式的なものであって、現実のものとは異なる場合がある。また、以下に示す本発明の実施形態は、本発明の技術的思想を具体化するための装置や方法を例示するものであって、本発明の技術的思想は、構成部品の構造、配置等を下記のものに特定するものではない。本発明の技術的思想は、特許請求の範囲に記載された請求項が規定する技術的範囲内において、種々の変更を加えることができる。
【０００９】
図１を参照する。実施形態の走行支援装置は、他車両２の動作を予測し、予測結果に基づいて自車両１の走行支援を行う。ここで走行支援は、乗員である運転者による運転操作を伴わない自動運転制御のほか、運転者による運転に介入することにより運転者による自車両１の運転を支援する運転支援を含んでよい。
例えば、図１に示すような走行シーンでは、自車両１が右側車線を走行し、自車両１の斜め前方の左側車線を他車両２が並走している。さらに、他車両２の走行車線と同じ走行車線には、他車両２の先行車両３が他車両２の前方を走行している。
【００１０】
先行車両３の速度が他車両２の速度よりも遅い場合、先行車両３と他車両２との間の車間距離が徐々に短くなる。このような走行シーンでは、他車両２の動作として、他車両２が自車両１の前で車線変更を行う軌道ｔ２及びｔ３が考えられる。
一方で、他車両２の運転者が自車両１に配慮して、減速しながら左側車線での走行を継続し、自車両１が他車両２を追い越すまで右側車線への車線変更を行わない軌道ｔ１も考えられる。
【００１１】
他車両２の動作がこれら軌道ｔ１〜ｔ３のどれになるかは、他車両２の「運転特性」、すなわち他車両２の運転者がどのような運転操作を行う傾向を有するかに依存する。
例えば、運転者が、自己中心的の運転（例えば比較的急な運転操作）を行う傾向を有している場合には、比較的短い車線変更時間で自車両１の前に割り込む軌道ｔ３が選択される可能性が高いと判定できる。
【００１２】
一方で、運転者が、慎重な運転を行う傾向を有する場合（例えば運転初心者である場合）には、自車両１に先を譲る軌道ｔ１が選択される可能性が高いと判定できる。また、自己中心的の運転を行う運転者と慎重な運転を行う運転者の中間である平均的な運転者は、比較的長い車線変更時間で自車両１の前へ車線変更を行う軌道ｔ２を選択すると判定できる。
このように、他車両２の運転特性を考慮して他車両２の軌道を予測することにより、他車両２の動作予測の精度が高まる。これにより、自車両１の自車線にはみ出してくる他車両２の動作を予測できるため、自車両１の急な挙動を防止でき、自車両１の乗員に与える違和感を低減できる。
【００１３】
（構成）
図２を参照する。実施形態の走行支援装置１０は、物体検出装置１１と、自車両位置推定装置１２と、地図取得装置１３と、コントローラ１４を備える。
物体検出装置１１は、自車両１に搭載された、レーザレーダやミリ波レーダ、カメラなど、自車両１の周囲の物体を検出する、複数の異なる種類の物体検出センサを備える。物体検出装置１１は、複数の物体検出センサを用いて、自車両１の周囲における物体を検出する。
【００１４】
物体検出装置１１は、他車両、バイク、自転車、歩行者を含む移動物体、及び駐車車両を含む静止物体を検出する。例えば、移動物体及び静止物体の自車両１に対する位置、姿勢、大きさ、速度、加速度、減速度、ヨーレートを検出する。
以下の説明において、物体の位置、姿勢（ヨー角）、大きさ、速度、加速度、減速度、ヨーレートを総称して、物体の「挙動」と呼ぶ。物体検出装置１１は、検出結果として、例えば自車両１の上方の空中から眺める天頂図（平面図ともいう）における、２次元の物体の挙動を出力する。
【００１５】
自車両位置推定装置１２は、自車両１に搭載されたＧＰＳ（Global Positioning System：全地球測位システム）受信機や、オドメトリなど自車両１の絶対位置を計測する位置検出センサを備える。自車両位置推定装置１２は、位置検出センサを用いて、自車両１の絶対位置、すなわち、所定の基準点に対する自車両１の位置、姿勢及び速度を計測する。
【００１６】
地図取得装置１３は、自車両１が走行する道路の構造を示す地図情報を取得する。地図取得装置１３は、地図情報を格納した地図データベースを所有してもよいし、クラウドコンピューティングにより地図情報を外部の地図データサーバから取得しても構わない。地図取得装置１３が取得する地図情報には、車線の絶対位置や車線の接続関係、相対位置関係などの道路構造の情報が含まれる。
【００１７】
さらに、地図取得装置１３は、更新頻度の高い地図情報（例えば、ダイナミックマップに埋め込まれている情報）を取得する。具体的には、地図取得装置１３は、１秒以下の頻度で更新される動的情報、１分以下の頻度で更新される准動的情報、１時間以下の頻度で更新される准静的情報を自車両１の外部から無線通信により取得する。
例えば、動的情報には、周囲車両、歩行者、信号機の情報が含まれ、准動的情報には、事故情報、渋滞情報、狭域気象情報が含まれ、准静的情報には、交通規制情報、道路工事情報、広域気象情報が含まれる。これに対して、上記した「道路の構造を示す地図情報」は、１時間以下の頻度で更新される静的情報に相当する。
【００１８】
コントローラ１４は、物体検出装置１１及び自車両位置推定装置１２による検出結果及び地図取得装置１３による取得情報に基づいて、他車両２の動作を予測し、他車両２の動作から自車両１の経路を生成し、生成した経路に従って自車両１を制御する。
コントローラ１４は、プロセッサと、記憶装置等の周辺部品とを含むコンピュータであってよい。プロセッサは、例えばＣＰＵ（Central Processing Unit）、やＭＰＵ（Micro-Processing Unit）であってよい。
【００１９】
記憶装置は、半導体記憶装置、磁気記憶装置及び光学記憶装置のいずれかを備えてよい。記憶装置は、レジスタ、キャッシュメモリ、主記憶装置として使用されるＲＯＭ（Read Only Memory）及びＲＡＭ（Random Access Memory）等のメモリを含んでよい。
なお、コントローラ１４を、以下に示す各情報処理を実行するための専用のハードウエアにより形成してもよい。
例えば、汎用の半導体集積回路中に設定される機能的な論理回路でコントローラ１４を実現してもよい。例えば、コントローラ１４はフィールド・プログラマブル・ゲート・アレイ（ＦＰＧＡ：Field-Programmable Gate Array）等のプログラマブル・ロジック・デバイス（ＰＬＤ：Programmable Logic Device）等を有していてもよい。
【００２０】
なお、実施形態では、コントローラ１４は、自車両１を制御する走行支援装置の例として説明する。しかし、本発明はこれに限定されない。例えば、コントローラ１４は、他車両の動作を予測する動作予測装置としても実施可能である。つまり、コントローラ１４は、自車両１の経路生成及び経路に沿った走行支援を行なわず、予測した他車両の動作を最終出力してもよい。コントローラ１４は、特許請求の範囲に記載された動作予測装置の一例である。
【００２１】
コントローラ１４は、検出統合部２０と、物体追跡部２１と、地図内位置演算部２２と、動作予測部２３と、自車両経路生成部２４と、車両制御部２５を備える。コントローラ１４は、所定の記憶装置に格納されたコンピュータプログラムをプロセッサで実行することにより、検出統合部２０、物体追跡部２１、地図内位置演算部２２、動作予測部２３、自車両経路生成部２４、及び車両制御部２５の機能を実現してよい。
【００２２】
検出統合部２０は、物体検出装置１１が備える複数の物体検出センサの各々から得られた複数の検出結果を統合して、各物体に対して一つの検出結果を出力する。
具体的には、物体検出センサの各々から得られた物体の挙動から、各物体検出センサの誤差特性などを考慮した上で最も誤差が少なくなる最も合理的な物体の挙動を算出する。
具体的には、既知のセンサ・フュージョン技術を用いることにより、複数種類のセンサで取得した検出結果を総合的に評価して、より正確な検出結果を得る。
【００２３】
物体追跡部２１は、物体検出装置１１によって検出された物体を追跡する。具体的には、検出統合部２０により統合された検出結果から、異なる時刻に出力された物体の挙動から、異なる時刻間における物体の同一性の検証（対応付け）を行い、かつ、その対応付けを基に、物体の挙動を予測する。なお、異なる時刻に出力された物体の挙動は、コントローラ１４内のメモリに記憶され、後述する軌道予測の際に用いられる。
【００２４】
地図内位置演算部２２は、自車両位置推定装置１２により得られた自車両１の絶対位置、及び地図取得装置１３により取得された地図データから、地図上における自車両１の位置及び姿勢を推定する。
また、地図内位置演算部２２は、自車両１が走行している道路、さらに当該道路のうちで自車両１が走行する車線を特定する。
【００２５】
動作予測部２３は、検出統合部２０により得られた検出結果と、地図内位置演算部２２により特定された自車両１の位置に基づいて、自車両１の周囲における移動物体の動作を予測する。
動作予測部２３は、挙動判定部３０と、動作候補予測部３１と、動作候補修正部３２と、軌道予測部３３と、運転特性推定部３４と、運転特性修正部３５と、尤度推定部３６を備える。
【００２６】
挙動判定部３０は、地図上における自車両１の位置と、検出統合部２０により得られた物体の挙動とから、地図上における物体の位置及び挙動を特定する。
さらに、挙動判定部３０は、物体の地図上の位置が時間の経過と共に変化する場合、当該物体は「移動物体」であると判断し、移動物体の大きさ及び速度から、当該移動物体の属性（走行中の他車両、歩行者）を判断する。
【００２７】
そして、移動物体が走行中の「他車両」であると判断した場合、挙動判定部３０は、当該他車両が走行する道路及び車線を判定する。
一方で、物体の地図上の位置が時間の経過と共にしない場合、挙動判定部３０は、この物体が静止物体であると判断し、静止物体の地図上の位置、姿勢及び大きさから、静止物体の属性（停止中の他車両、駐車車両、歩行者など）を判定する。
【００２８】
動作候補予測部３１は、地図に基づく他車両の動作候補を予測する。動作候補予測部３１は、地図情報に含まれる道路構造及び他車両が属している車線情報から、他車両が次にどのように走行するのかという「動作意図」を予測し、当該動作意図に基づく他車両の「基本軌道」を道路構造に基づいて演算する。
「動作候補」とは、動作意図及び基本軌道を含む上位概念である。基本軌道は、異なる時刻における他車両の位置のプロファイルのみならず、各位置における他車両の速度のプロファイルをも示す。
【００２９】
例えば、他車両が単車線の単路及びカーブ路を走行する場合、動作候補予測部３１は、車線の形状に沿って走行する動作意図（直進）を予測し、基本軌道として、地図上の車線に沿った軌道を演算する。
また、他車両が複数車線の単路及びカーブ路を走行する場合、動作候補予測部３１は、動作意図（直進）と、右側もしくは左側へ車線変更する動作意図（車線変更）を予測する。動作意図（車線変更）における他車両の基本軌道は、道路構造及び所定の車線変更時間に基づいて車線変更する軌道である。
【００３０】
さらに、交差点を走行する場合、動作候補予測部３１は、直進、右折及び左折の動作意図を予測し、地図上の交差点における道路構造に基づく直進軌道、右折軌道、左折軌道を基本軌道として演算する。
なお、「基本軌道」の演算では道路構造を考慮するが、検出統合部２０により統合された移動物体や静止物体は考慮しない。
【００３１】
例えば図１に示す走行シーンにおいて、動作候補予測部３１は、左側車線に沿って走行する動作意図（直進）及び基本軌道ｔ１を、他車両２の動作候補として演算する。
しかし、動作候補予測部３１は、自車両１の周囲における移動物体である先行車両３に起因する動作意図（車線変更）と、車線変更の軌道ｔ２及びｔ３は演算しない。静止物体に起因する動作候補についても同様である。
【００３２】
動作候補修正部３２は、物体検出装置１１により検出された静止物体を考慮して動作候補予測部３１により予測された動作候補を修正する。
具体的には、動作候補修正部３２は、他車両の基本軌道と静止物体の位置が干渉するか否かを判断する。干渉する場合、静止物体を回避する他車両２の動作意図及び基本軌道を新たに追加する。
【００３３】
図１に示す他車両２以外の移動物体（例えば先行車両３）が物体検出装置１１により検出されている場合、動作候補修正部３２は、他の移動物体を考慮して動作候補予測部３１により予測された動作候補を修正する。
具体的には、動作候補修正部３２は、他の移動物体と他車両２の干渉があるか否かを経時的に判断する。移動物体同士の干渉がある場合には、他の移動物体との干渉を回避する他車両２の動作意図及び基本軌道を新たに追加する。
【００３４】
このとき、動作候補修正部３２は、他車両２の運転特性に応じて異なる複数の基本軌道を他車両２の動作候補として生成する。
例えば、他車両２の運転特性が、自己中心的の運転を行う傾向を有しているか慎重な運転を行う傾向を有しているかに応じて、異なる複数の基本軌道を生成してよい。
本実施形態では、他車両２の運転特性の例として「Ａｇｇｒｅｓｓｉｖｅ」、「Ｏｒｄｉｎａｒｙ」及び「Ｃａｕｔｉｏｕｓ」を含む３種類の運転特性を例示する。
【００３５】
Ａｇｇｒｅｓｓｉｖｅは、自己中心的の運転を行う傾向を有する運転特性であり、比較的急な運転操作を行う傾向を有する。言い換えれば、安全運転の傾向が比較的弱く、動作の予測可能性が比較的低い。
反対に、Ｃａｕｔｉｏｕｓは、慎重な運転を行う傾向を有する運転特性であり、比較的緩慢な運転操作を行ったり、平均的な周囲車両や法定速度よりも低い速度で走行したりする傾向を有する。言い換えれば、安全運転の傾向が比較的強く、また動作の予測可能性が比較的高い。
【００３６】
Ｏｒｄｉｎａｒｙは、平均的な運転操作を行う傾向を有する運転特性であり、Ａｇｇｒｅｓｓｉｖｅよりも緩慢で、Ｃａｕｔｉｏｕｓより急な運転操作を行う傾向を有する。また、Ａｇｇｒｅｓｓｉｖｅより安全運転の傾向が強く、Ｃａｕｔｉｏｕｓよりも安全運転の傾向が弱い。また、Ａｇｇｒｅｓｓｉｖｅより予測可能性が高い。
まだ他車両２の運転特性が推定されていない場合、運転特性が未推定であることを示す状態として「Ｕｎｋｎｏｗｎ」を使用する。
【００３７】
なお、他車両２の動作の予測に使用される運転特性はこれら例示した運転特性に限られず、他車両２の動作の予測に有用な他の運転特性を採用してもよい。
Ａｇｇｒｅｓｓｉｖｅは特許請求の範囲に記載された第１特性の一例であり、Ｃａｕｔｉｏｕｓ及びＯｒｄｉｎａｒｙは、特許請求の範囲に記載された第２特性の一例である。また、Ｏｒｄｉｎａｒｙを第１特性の一例とするとき、Ｃａｕｔｉｏｕｓを第２特性の一例としてもよい。
【００３８】
図３は、他車両２の動作候補として、先行車両３を追い越す動作意図（車線変更）の基本軌道の例を示す。動作候補修正部３２は、他車両２の運転特性がＡｇｇｒｅｓｓｉｖｅ、Ｏｒｄｉｎａｒｙ及びＣａｕｔｉｏｕｓである場合について、それぞれ車線変更時間が異なる基本軌道ｔ１１、ｔ１２及びｔ１３を生成する。
例えば、他車両２の運転特性がＡｇｇｒｅｓｓｉｖｅである場合の車線変更時間は、３秒以下であってよく、Ｃａｕｔｉｏｕｓである場合には５秒以上であってよく、Ｏｒｄｉｎａｒｙである場合には３秒より長く５秒より短くてよい。
【００３９】
例えば動作候補修正部３２は、地図情報が示す車線変更前の他車両２の走行レーンの中心と、車線変更後の他車両２の走行レーンの中心に基づいて、運転特性に応じた車線変更時間をパラメータとしてクロソイド曲線を用いて基本軌道ｔ１１〜ｔ１３を生成してよい。なお、基本軌道ｔ１１〜ｔ１３を生成する際の曲線は、必ずしもクロソイド曲線である必要はなく、その他の曲線であってもよい。
なお、運転特性がＯｒｄｉｎａｒｙである場合の基本軌道（例えば基本軌道ｔ１２）は、運転特性が推定されていない場合（すなわちＵｎｋｎｏｗｎの場合）の基本軌道としても使用してよい。
【００４０】
図１を参照する。例えば、動作候補修正部３２は、他車両２の運転特性がＡｇｇｒｅｓｓｉｖｅ及びＯｒｄｉｎａｒｙである場合について、それぞれ車線変更時間が異なる基本軌道ｔ３及びｔ２を生成し、他車両２の運転特性がＣａｕｔｉｏｕｓである場合について自車両１に先を譲る軌道ｔ１を生成してよい。
なお、運転特性に応じて異なる複数の基本軌道として、車線変更時間に加えて又は代えて車線変更開始タイミングの異なる複数の基本軌道を生成してもよい。
【００４１】
なお、動作候補予測部３１も、他車両２の運転特性に応じて異なる複数の基本軌道を他車両２の動作候補として生成してよい。すなわち、他車両２以外の移動物体や静止物体に関わらず道路構造に基づいて演算される基本軌道についても、他車両２の運転特性に応じて異なる複数の軌道を生成してよい。
例えば、動作候補予測部３１は、他車両２以外の移動物体や静止物体と無関係に、走行路を直進する場合、車線変更する場合、交差点を直進、右左折する場合についても、他車両２の運転特性がＡｇｇｒｅｓｓｉｖｅ、Ｏｒｄｉｎａｒｙ、及びＣａｕｔｉｏｕｓである場合について、それぞれ基本軌道を生成してよい。
【００４２】
図２を参照する。軌道予測部３３は、挙動判定部３０において検出された他車両２の実際の挙動に基づいて、他車両２が取る軌道（実効軌道）を予測する。
具体的には、軌道予測部３３は、上記予測された動作意図にしたがって動作する場合の他車両２の実効軌道を、例えばカルマンフィルターなどの既知の状態推定技術を用いて演算する。
【００４３】
「実効軌道」は、基本軌道と同様にして、異なる時刻における他車両２の位置を示すのみならず、各位置における他車両２の速度のプロファイルをも示す。実効軌道と基本軌道は、共に他車両２が取る軌道である点で共通するが、実効軌道は他車両２の挙動を考慮して演算されるが、基本軌道は他車両の挙動を考慮しないで演算される点で、両者は相違する。
【００４４】
図４Ａ及び図４Ｂに示す基本軌道ｔ２１及びｔ２２は、動作意図及び道路構造に基づいて導出された他車両２の軌道の例であり、他車両２の挙動は考慮されていない。よって、例えば、他車両２の現在の姿勢（ヨー角）が考慮されていないため、他車両２の現在位置から、異なる方向に向けて、複数の基本軌道ｔ２１及びｔ２２が延びている。これに対して、軌道予測部３３は、他車両２の挙動を考慮して、上記した動作意図に沿った軌道（実効軌道）を演算する。換言すれば、上記した動作意図に沿った動作を取った場合の他車両２の実効軌道を演算する。
図１及び図３に示す軌道ｔ１〜ｔ３及びｔ１１〜ｔ１３は、他車両２の動作意図及び道路構造に基づいて導出された他車両２の基本軌道の一例である。
【００４５】
図４Ａ及び図４Ｂにおいて、他車両２の姿勢（ヨー角）は、道路の形状に沿った走行の基本軌道ｔ２１よりも左側に傾き、他車両２の速度は、進行方向の速度成分のみからなり、車幅方向の速度成分はゼロである。つまり、他車両２は直進状態である。
よって、この姿勢及び速度を起点として他車両２が道路の形状に沿った走行の動作意図に従って走行する場合、図４Ａに示すように、基本軌道ｔ２１から左側に離れた後に、基本軌道ｔ２１に近づいて一致する実効軌道ｔ３１となる。
【００４６】
換言すれば、走行車線からの逸脱を修正するような修正軌道（オーバーシュート軌道）を描くことが予測される。軌道予測部３３は、他車両２の姿勢（ヨー角）及び速度を起点として、道路の形状に沿った走行の動作意図（直進）に従って走行する実効軌道ｔ３１を予測する。
次に、同じ姿勢及び速度を起点として他車両２が車線変更の動作意図に従って走行する場合、図４Ｂに示すように、左方向への旋回を開始し、左側車線へ移動した後に、右へ旋回して左側車線に沿った軌道へ修正する実効軌道ｔ３２となる。
【００４７】
つまり、舵角が中立位置の状態から始まる左旋回のクロソイド曲線及び右旋回のクロソイド曲線からなる実効軌道ｔ３２を描く。よって、実効軌道ｔ３２は、車線変更軌道ｔ２２を演算するときの「所定の車線変更時間」とほぼ同じ時間をかけて車線変更が完了する軌道となる。なお、実効軌道を描く際の曲線は必ずしもクロソイド曲線である必要はなく、その他の曲線を用いて描いてもよい。図４Ａ及び図４Ｂの例では、実効軌道ｔ３２は車線変更における基本軌道ｔ２２とほぼ同じ軌道となる。
【００４８】
図４Ａ及び図４Ｂと同様にして、図１及び図３に示す基本軌道ｔ１〜ｔ３及びｔ１１〜ｔ１３についても、軌道予測部３３は、他車両２の挙動を考慮して、動作意図に沿った軌道（実効軌道）を演算する。
例えば図１及び図３に示す走行シーンにおいて、他車両２の位置、姿勢（ヨー角）及び速度を起点として、自車両１の前で車線変更を行う動作意図、又は自車両１に追い越されるまで右側車線への車線変更を行わずに減速しながら左側車線を走行し続ける動作意図に従って走行する他車両２の実効軌道をそれぞれ演算する。
なおここでは、他車両２の挙動の例として、位置、姿勢及び速度を考慮したが、他車両２の加速度、減速度を考慮して、実効軌道を演算してもよい。例えば、直進に比べて、車線変更の時の減速度は大きくなることが予測することができる。
【００４９】
なお、予想軌道は、特許請求の範囲に記載された運転特性に基づいて予測された第１予測軌道の一例である。実効軌道は、特許請求の範囲に記載された他車両の実際の挙動に基づき予測された第２予測軌道の一例である。
【００５０】
次に、運転特性推定部３４は、他車両２の周囲の特定の運転環境に基づいて他車両２の運転特性を推定する。運転特性推定部３４によって推定される運転特性は、動作予測部２３及び動作候補修正部３２が予測した動作候補（すなわち運転特性に応じて異なる複数の動作候補）のうちのいずれを、他車両２の動作として予測するかを判断するために使用する。
例えば、運転特性推定部３４は、他車両２の運転特性が上記のＡｇｇｒｅｓｓｉｖｅ、Ｏｒｄｉｎａｒｙ及びＣａｕｔｉｏｕｓのいずれであるかを推定してよい。
【００５１】
例えば運転特性推定部３４は、特定の運転環境に基づいて、この運転環境における他車両２の車両挙動から他車両２の運転特性を推定してよい。例えば運転特性推定部３４は、車線変更時における他車両２のウインカー操作に基づいて他車両２の運転特性を推定してよい。
例えば図１に示す他車両２の車線変更の運転シーンを想定する。運転特性推定部３４は、他車両２の車線変更により自車両１の予想経路ｔ４と他車両２の予想軌道ｔ３とが交差する交差エリア４を算出する。
【００５２】
そして、他車両２が交差エリア４へ到達する到達時刻を推定し、交差エリア４への到達時刻とウインカー点灯開始時刻との時間差を算出する。算出された時間差が第１閾値Ｘ１以上の場合に他車両２の運転特性がＣａｕｔｉｏｕｓであると推定し、第１閾値Ｘ１未満で第２閾値Ｘ２以上（第２閾値Ｘ２＜第１閾値Ｘ１）の場合にＯｒｄｉｎａｒｙであると推定し、第２閾値Ｘ２未満の場合にＡｇｇｒｅｓｓｉｖｅであると推定してよい。
【００５３】
または、運転特性推定部３４は、他車両２の運転特性がＡｇｇｒｅｓｓｉｖｅである尤もらしさ、Ｏｒｄｉｎａｒｙである尤もらしさ、及びＣａｕｔｉｏｕｓである尤もらしさをそれぞれ推定してもよい。
以下、他車両２の運転特性がＡｇｇｒｅｓｓｉｖｅである尤もらしさ、Ｏｒｄｉｎａｒｙである尤もらしさ及びＣａｕｔｉｏｕｓである尤もらしさを、それぞれ「Ａｇｇｒｅｓｓｉｖｅ尤度」、「Ｏｒｄｉｎａｒｙ尤度」及び「Ｃａｕｔｉｏｕｓ尤度」と表記する。
【００５４】
運転特性推定部３４は、これらの尤度を、動作予測部２３及び動作候補修正部３２が予測した複数の動作候補（すなわち運転特性に応じて異なる動作候補）が他車両２の動作となるそれぞれの尤度（すなわち他車両２の動作として選択される尤度）として記憶装置に保持する。
例えば、Ａｇｇｒｅｓｓｉｖｅ尤度は他車両２が図３の基本軌道ｔ１１を通る尤度であり、Ｏｒｄｉｎａｒｙ尤度は基本軌道ｔ１２を通る尤度であり、及びＣａｕｔｉｏｕｓ尤度は基本軌道ｔ１３を通る尤度である。
これら他車両２の運転特性の推定に基づいて予測される各動作候補が他車両２の動作となる尤度を「第１尤度α１」と表記する。
【００５５】
運転特性推定部３４は、他車両２の車両挙動に応じて逐次これらの尤度を増減する。
例えば、交差エリア４への到達時刻とウインカー点灯時刻との時間差が第１閾値Ｘ１以上の場合にＣａｕｔｉｏｕｓ尤度を増加させるとともにＯｒｄｉｎａｒｙ尤度とＡｇｇｒｅｓｓｉｖｅ尤度を減少させ、第１閾値Ｘ１未満で第２閾値Ｘ２以上の場合にＯｒｄｉｎａｒｙ尤度を増加させるとともにＣａｕｔｉｏｕｓ尤度とＡｇｇｒｅｓｓｉｖｅ尤度を減少させ、第２閾値Ｘ２未満の場合にＡｇｇｒｅｓｓｉｖｅ尤度を増加させるとともにＣａｕｔｉｏｕｓ尤度とＯｒｄｉｎａｒｙ尤度を減少させてよい。
【００５６】
また例えば運転特性推定部３４は、車線変更時間に基づいて他車両２の運転特性を推定してよい。
具体的には、車線変更時間が第３閾値Ｘ３以上の場合に他車両２の運転特性がＣａｕｔｉｏｕｓであると推定し、第３閾値Ｘ３未満で第４閾値Ｘ４以上（第４閾値Ｘ４＜第３閾値Ｘ３）の場合にＯｒｄｉｎａｒｙであると推定し、第４閾値Ｘ４未満の場合にＡｇｇｒｅｓｓｉｖｅであると推定してよい。
または、車線変更時間が第３閾値Ｘ３以上の場合にＣａｕｔｉｏｕｓ尤度を増加させるとともにＯｒｄｉｎａｒｙ尤度とＡｇｇｒｅｓｓｉｖｅ尤度を減少させ、第３閾値Ｘ３未満で第４閾値Ｘ４以上の場合にＯｒｄｉｎａｒｙ尤度を増加させるとともにＣａｕｔｉｏｕｓ尤度とＡｇｇｒｅｓｓｉｖｅ尤度を減少させ、第４閾値Ｘ４未満の場合にＡｇｇｒｅｓｓｉｖｅ尤度を増加させるとともにＣａｕｔｉｏｕｓ尤度とＯｒｄｉｎａｒｙ尤度を減少させてもよい。
【００５７】
その他、例えば、平均的な周囲車両の速度や法定速度を特定の運転環境として、他車両２の速度が平均的な周囲車両の速度や法定速度よりも低い場合に、他車両２の運転特性がＣａｕｔｉｏｕｓであると推定したり、Ｃａｕｔｉｏｕｓ尤度を増加させるとともにＯｒｄｉｎａｒｙ尤度とＡｇｇｒｅｓｓｉｖｅ尤度を減少させてもよい。
または、他車両２が追い越し車線以外の車線で先行車両３を追い越したり、先行車両３との相対速度が閾値以上で車間距離が閾値以下の場合に、他車両２の運転特性がＡｇｇｒｅｓｓｉｖｅであると推定したり、Ａｇｇｒｅｓｓｉｖｅ尤度を増加させるとともにＣａｕｔｉｏｕｓ尤度とＯｒｄｉｎａｒｙ尤度を減少させてもよい。
【００５８】
運転特性推定部３４が推定した他車両２の運転特性に基づいて、動作予測部２３及び動作候補修正部３２が予測した複数の動作候補（すなわち運転特性に応じて異なる動作候補）の中からいずれかを他車両２の動作として予測することにより、他車両２の運転特性を考慮して他車両２の動作を予測することが可能になるため、予測精度が高まる。
【００５９】
しかし、他車両２の運転特性は周囲環境の変化によって変化することがある。
例えば、他車両２の先行車両３が平均的な車両の走行速度又は法定速度より低速で走行し続ける場合（例えば先行車両３の運転特性がＣａｕｔｉｏｕｓである場合）、他車両２の普段の運転特性がＯｒｄｉｎａｒｙやＣａｕｔｉｏｕｓであっても、先行車両３を追い越すために普段よりも強引な運転を行い、運転特性がＡｇｇｒｅｓｓｉｖｅである車両と同様の動作を行うことがある。
また、他車両２の普段の運転特性がＡｇｇｒｅｓｓｉｖｅであっても、路面が低μであったり前方の視界が悪かったりする場合には、運転特性がＯｒｄｉｎａｒｙやＣａｕｔｉｏｕｓである車両と同様の動作を行うことがある。
【００６０】
このため、運転特性修正部３５は、他車両２の周囲環境の変化が起きた場合（すなわち他車両２の周囲の運転環境が、特定の第１運転環境から第２運転環境になった場合）に運転特性推定部３４が推定した他車両２の運転特性を修正する。すなわち、運転特性推定部３４が推定した運転特性に基づきこの運転特性を修正した運転特性を演算する。
運転特性推定部３４が推定した運転特性、及び運転特性修正部３５が修正した運転特性は、それぞれ特許請求の範囲に記載の第１運転特性及び第２運転特性の一例である。
例えば運転特性修正部３５は、先行車両３が平均的な車両の走行速度又は法定速度より低速で走行し続ける場合（例えば先行車両３の運転特性がＣａｕｔｉｏｕｓである場合）に、他車両２の運転特性をＣａｕｔｉｏｕｓやＯｒｄｉｎａｒｙからＡｇｇｒｅｓｓｉｖｅへ変更してもよい。または、ＣａｕｔｉｏｕｓからＯｒｄｉｎａｒｙへ変更してもよい。
【００６１】
以下、運転特性をＡｇｇｒｅｓｓｉｖｅへ変更することには、Ａｇｇｒｅｓｓｉｖｅ尤度を増加させるとともにＣａｕｔｉｏｕｓ尤度とＯｒｄｉｎａｒｙ尤度を減少させることを含む。
運転特性をＯｒｄｉｎａｒｙへ変更することには、Ｏｒｄｉｎａｒｙ尤度を増加させるとともにＣａｕｔｉｏｕｓ尤度とＡｇｇｒｅｓｓｉｖｅ尤度を減少させることを含む。
運転特性をＣａｕｔｉｏｕｓへ変更することには、Ｃａｕｔｉｏｕｓ尤度を増加させるとともにＯｒｄｉｎａｒｙ尤度とＡｇｇｒｅｓｓｉｖｅ尤度を減少させることを含む。
【００６２】
また例えば、他車両２と先行車両３とが接近する場合に、他車両２の運転特性をＣａｕｔｉｏｕｓやＯｒｄｉｎａｒｙからＡｇｇｒｅｓｓｉｖｅへ変更してもよい。または、ＣａｕｔｉｏｕｓからＯｒｄｉｎａｒｙへ変更してもよい。
また例えば、他車両２の前方に落下物や道路工事などの障害物が現れた場合に、他車両２の運転特性をＣａｕｔｉｏｕｓやＯｒｄｉｎａｒｙからＡｇｇｒｅｓｓｉｖｅへ変更してもよい。または、ＣａｕｔｉｏｕｓからＯｒｄｉｎａｒｙへ変更してもよい。
【００６３】
また例えば、渋滞最後尾の車両が他車両２の先行車両３となった場合に、他車両２の運転特性をＣａｕｔｉｏｕｓやＯｒｄｉｎａｒｙからＡｇｇｒｅｓｓｉｖｅへ変更してもよい。または、ＣａｕｔｉｏｕｓからＯｒｄｉｎａｒｙへ変更してもよい。
また例えば、他車両２の先行車両３がバスであり且つ停止すると予測される場合に、他車両２の運転特性をＣａｕｔｉｏｕｓやＯｒｄｉｎａｒｙからＡｇｇｒｅｓｓｉｖｅへ変更してもよい。または、ＣａｕｔｉｏｕｓからＯｒｄｉｎａｒｙへ変更してもよい。
【００６４】
一方で、例えば雨や雪などで他車両２の前方の路面が低μへ変化した場合に、他車両２の運転特性をＡｇｇｒｅｓｓｉｖｅからＯｒｄｉｎａｒｙまたはＣａｕｔｉｏｕｓへ変更してもよい。または、ＯｒｄｉｎａｒｙからＣａｕｔｉｏｕｓへ変更してもよい。
また例えば、雪、雨、霧などの原因により他車両２の前方の視界が悪化した場合に、他車両２の運転特性をＡｇｇｒｅｓｓｉｖｅからＯｒｄｉｎａｒｙまたはＣａｕｔｉｏｕｓへ変更してもよい。または、ＯｒｄｉｎａｒｙからＣａｕｔｉｏｕｓへ変更してもよい。
【００６５】
また例えば、地図情報に基づいて通行人の多い場所（例えば小学校などの通学路や繁華街付近の道路）を他車両２が走行することが予想される場合に、他車両２の運転特性をＡｇｇｒｅｓｓｉｖｅからＯｒｄｉｎａｒｙまたはＣａｕｔｉｏｕｓへ変更してもよい。または、ＯｒｄｉｎａｒｙからＣａｕｔｉｏｕｓへ変更してもよい。
また例えば、地図情報に基づいて他車両２の前方に警察関連施設（例えば自動速度違反取り締まり装置や警察署、交番等の警察施設）が存在し、他車両２が警察関連施設そばを通過すると判断される場合に他車両２の運転特性をＡｇｇｒｅｓｓｉｖｅからＯｒｄｉｎａｒｙまたはＣａｕｔｉｏｕｓへ変更してもよい。または、ＯｒｄｉｎａｒｙからＣａｕｔｉｏｕｓへ変更してもよい。
【００６６】
また例えば、他車両２の周囲に警察車両が存在する場合に他車両２の運転特性をＡｇｇｒｅｓｓｉｖｅからＯｒｄｉｎａｒｙまたはＣａｕｔｉｏｕｓへ変更してもよい。または、ＯｒｄｉｎａｒｙからＣａｕｔｉｏｕｓへ変更してもよい。
以下、運転特性修正部３５により修正された他車両２の運転特性（運転特性修正部３５による修正がない場合には運転特性推定部３４により推定された運転特性）を、単に「推定された運転特性」と表記することがある。
【００６７】
尤度推定部３６は、推定された運転特性と、動作予測部２３及び動作候補修正部３２が予測した動作候補と軌道予測部３３が予測した実効軌道との比較結果と、に基づいて他車両２の動作を予測する。
具体的には、尤度推定部３６は、動作候補予測部３１及び動作候補修正部３２により予測された動作候補の各々について基本軌道と実効軌道とを対比する。そして、基本軌道と実効軌道との差分から、各動作候補が他車両２の動作となるそれぞれの尤度を求める。
【００６８】
基本軌道と実効軌道との差分に基づいて予測される、各動作候補が他車両２の動作となる尤度を「第２尤度α２」と表記する。尤度推定部３６は、基本軌道と実効軌道との差違が小さいほど第２尤度α２が高くなるように第２尤度α２を演算する。
次に、尤度推定部３６は、推定された運転特性と第２尤度α２とに基づいて他車両２の動作を予測する。
【００６９】
例えば、他車両２の運転特性として第１尤度α１（例えば、Ａｇｇｒｅｓｓｉｖｅ尤度、Ｏｒｄｉｎａｒｙ尤度又はＣａｕｔｉｏｕｓ尤度）が推定される場合には、第１尤度α１に基づいて各動作候補の第２尤度α２に重み付けを行う。
例えば、第１尤度α１を係数として各動作候補の第２尤度α２に乗算して最終的な尤度（最終尤度α）を算出する。これにより運転特性推定部３４及び運転特性修正部３５により予測された第１尤度α１と尤度推定部３６が推定する第２尤度α２に結合させた最終尤度αを得ることができる。
【００７０】
例えば、図３に示す走行シーンにおいて他車両２の運転特性がＡｇｇｒｅｓｓｉｖｅであるときに、比較的長い車線変更時間の動作候補ｔ１２及びｔ１３の第２尤度α２よりも、比較的短い車線変更時間のｔ１１の第２尤度α２により大きな係数（第１尤度α１）を乗算する。
最高の尤度が演算された動作候補は、他車両２の運転特性と挙動を考慮した最も尤もらしい動作候補であると判断できる。このため尤度推定部３６は、最終尤度αが最も高い動作候補を他車両２の動作として決定する。
【００７１】
基本軌道と実効軌道との差違は、例えば、両軌道間の位置や速度のプロファイルの差異の総和を基に算出する。図４Ａ及び図４Ｂに示す面積Ｓ１、Ｓ２は、基本軌道と実効軌道との位置の差違を積分した総和の一例である。面積が狭い程、位置の差違が小さいと判断できるので、高い尤度を演算する。他の例として、位置の差違が小さくても、速度のプロファイルが大きく異なる場合には、低い尤度を演算することができる。なお、第１尤度α１、第２尤度α２及び最終尤度αは、その動作候補が実際に発生する可能性を表す指標の一例であって、尤度以外の表現であっても構わない。
【００７２】
以上説明したように、動作予測部２３では、尤度推定部３６により想定された各動作候補の尤度に基づいて、他車両２の動作を予測する。なお、「他車両の動作」には、他車両の軌道及び速度のプロファイルを含む。他車両２の軌道とは、異なる時刻における他車両２の位置のプロファイルを示す。
【００７３】
自車両経路生成部２４は、動作予測部２３により予測された他車両２の動作に基づいて、自車両１の経路を生成する。
例えば、動作予測部２３が図１に示す動作ｔ２又はｔ３を予測した場合、他車両２の車線逸脱を予測した上での自車両１の経路を生成できる。自車両１の経路は、車線変更に干渉しない経路であり、具体的には、他車両２を自車両１の前に車線変更させるように減速する経路である。或いは、レーン幅（車線幅）が十分に広ければ、右側車線内の右側に寄って走行する経路であってもよい。さらに右側に隣接レーンがある場合、事前にレーンチェンジを行う経路であってもよい。
【００７４】
よって、他車両２と接触せず、かつ、他車両２の挙動により自車両１が急減速又は急ハンドルとならない滑らかな自車両１の経路を生成することができる。「自車両１の経路」は、異なる時刻における自車両１の位置のプロファイルのみならず、各位置における自車両１の速度のプロファイルをも示す。
【００７５】
ここでは、地図上における他車両２の挙動に基づいて、他車両２の軌道を含む他車両の動作を予測している。このため、他車両２の軌道を基にして自車両１の経路を生成することは、他車両２との相対距離の変化、加減速度或いは姿勢角の差に基づいて自車両１の経路を生成していることになる。
【００７６】
例えば、図１に示す走行シーンにおいて、他車両２が減速して左側車線で走行し続ける挙動を示す場合、他車両２の挙動は、自車両１を先に行かせ、他車両２はその後に右側車線へ車線変更したいという動作意図を示していると解釈できる。
この場合、他車両２の動作意図を考慮して自車両１の経路を形成し、或いは自車両１を制御することにより、自車両１は減速せず或いは加速して先行車両３の脇を先に通過することができる。これにより、他車両２と自車両１の双方が譲り合ってしまう状況を回避できるので円滑な交通流を実現可能となる。
【００７７】
車両制御部２５では、自車両経路生成部２４により生成された経路に従って自車両１が走行するように、地図内位置演算部２２により演算された自己位置に基づいて、ステアリングアクチュエータ、アクセルペダルアクチュエータ、及びブレーキペダルアクチュエータの少なくとも１つを駆動する。
なお、実施形態では、自車両１の経路に従って制御する場合を示すが、自車両１の経路を生成せずに、自車両１を制御してもよい。この場合、他車両５２との相対距離、或いは、他車両２と自車両１との姿勢角の差に基づいて制御を行うことも可能である。
【００７８】
（動作）
次に図５を参照して、実施形態の走行支援装置１０の動作の一例を説明する。
ステップＳ１において物体検出装置１１は、複数の物体検出センサを用いて、自車両１の周囲における物体の挙動を検出する。
ステップＳ２において検出統合部２０は、複数の物体検出センサの各々から得られた複数の検出結果を統合して、各物体に対して一つの検出結果を出力する。そして、物体追跡部２１が、検出及び統合された各物体を追跡する。
【００７９】
ステップＳ３において自車両位置推定装置１２は、位置検出センサを用いて、所定の基準点に対する自車両１の位置、姿勢及び速度を計測する。
ステップＳ４において地図取得装置１３は、自車両１が走行する道路の構造を示す地図情報を取得する。
ステップＳ５において地図内位置演算部２２は、ステップＳ３で計測された自車両１の位置、及びステップＳ４で取得された地図データから、地図上における自車両１の位置及び姿勢を推定する。
【００８０】
ステップＳ６において動作予測部２３は、ステップＳ２で得られた検出結果（他車両２の挙動）と、ステップＳ５で特定された自車両１の位置に基づいて、自車両１の周囲における他車両２の動作を予測する。ステップＳ６における他車両動作予測ステップは図６から図１０を参照して後述する。
ステップＳ７において自車両経路生成部２４は、ステップＳ６で予測された他車両の動作に基づいて自車両１の経路を生成する。
ステップＳ８において車両制御部２５が、ステップＳ７で生成された経路に従って自車両１が走行するように自車両１を制御する。
【００８１】
次に、図６を参照して図５のステップＳ６（他車両動作予測ステップ）を説明する。他車両動作予測ステップは、特許請求の範囲に記載された動作予測方法の一例である。
ステップＳ１０において挙動判定部３０が、地図上における自車両１の位置と、ステップＳ２で得られた物体の挙動とから、他車両２が走行する道路及び車線を判定する。
ステップＳ１１において動作候補予測部３１が、地図に基づく他車両２の動作候補を予測する。例えば、道路構造から動作意図を予測する。
【００８２】
図７は、ステップＳ１１における動作候補予測部３１による動作候補予測ステップの一例を示すフローチャートである。
ステップＳ３０において動作候補予測部３１は、他車両２について予測された様々な動作意図（例えば、直進や車線変更、又は交差点での直進や右左折）のいずれかを選択する。
【００８３】
ステップＳ３１において動作候補予測部３１は、選択した動作意図における他車両２の基本軌道を演算し、選択した動作意図及びこれに対応する基本軌道を動作候補として生成する。このとき動作候補予測部３１は、複数の運転特性に対して運転特性に応じて異なる複数の基本軌道を演算する。すなわち、動作候補予測部３１は、運転特性毎に異なる動作候補を予測する。
【００８４】
ステップＳ３２において動作候補予測部３１は、他車両２について予測される動作意図の全てについてステップＳ３１の処理を行ったか否かを判断する。動作意図の全てについて処理を行った場合（ステップＳ３２：Ｙ）に動作候補予測ステップは終了し、処理は図６のステップＳ１２へ進む。
動作意図のいずれかについて処理を行っていない場合（ステップＳ３２：Ｎ）に処理はステップＳ３０へ戻る。
【００８５】
図６を参照する。ステップＳ１２においてコントローラ１４は、ステップＳ１で検出された全ての他車両２についてステップＳ１０及びＳ１１の処理を行ったか否かを判断する。全ての他車両２について処理を行った場合（ステップＳ１２：Ｙ）に処理はステップＳ１３へ進む。他車両２のいずれかについて処理を行っていない場合（ステップＳ１２：Ｎ）に処理はステップＳ１０へ戻る。
【００８６】
ステップＳ１３において動作候補修正部３２は、ステップＳ１において他車両２と同時に検出された静止物体を考慮して、ステップＳ１１で予測された動作候補を修正し、修正された動作候補を生成する。動作候補修正部３２は、図７に示す動作候補予測ステップと同様に運転特性毎に異なる動作候補を予測する。
ステップＳ１４において動作候補修正部３２は、ステップＳ１において検出された他車両２以外の移動物体を考慮して、ステップＳ１１で予測された動作候補を修正し、修正された動作候補を生成する。動作候補修正部３２は、図７に示す動作候補予測ステップと同様に運転特性毎に異なる動作候補を予測する。
【００８７】
ステップＳ１５において運転特性推定部３４は、特定の運転環境に基づいて、この運転環境における他車両２の車両挙動から他車両２の運転特性を推定する。例えば運転特性推定部３４は、他車両２の運転特性として、Ａｇｇｒｅｓｓｉｖｅ尤度、Ｏｒｄｉｎａｒｙ尤度及びＣａｕｔｉｏｕｓ尤度を推定する。
ステップＳ１５における運転特性推定ステップの一例を図８に示す。例えば運転特性推定部３４は、車線変更時における他車両２のウインカー操作に基づいてＡｇｇｒｅｓｓｉｖｅ尤度、Ｏｒｄｉｎａｒｙ尤度及びＣａｕｔｉｏｕｓ尤度を推定してよい。
【００８８】
ステップＳ４０において運転特性推定部３４は、図６のステップＳ１１、Ｓ１３、Ｓ１４で予測された他車両２の動作候補のいずれかを選択する。
ステップＳ４１において運転特性推定部３４は、自車両１の予想経路を取得する。
ステップＳ４２において運転特性推定部３４は、選択された他車両２の動作候補の基本軌道と自車両１の予想経路とが交差する交差エリアを算出する。
【００８９】
なお、他車両２の基本軌道と自車両１の予想経路とが交差しない場合には、その後のステップＳ４３〜Ｓ５０はスキップする。なお、他車両２の基本軌道のいずれも自車両１の予想経路と交差しない場合には、他車両２の運転特性は推定されず他車両２の運転特性はＵｎｋｎｏｗｎ（未推定）となる。
【００９０】
ステップＳ４３において運転特性推定部３４は、他車両２が交差エリア４へ到達する到達時刻を推定する。
ステップＳ４４において運転特性推定部３４は、到達時刻が閾値未満か否かを判定する。すなわち、他車両２が交差エリア４へ近づいているか否かを判断する。到達時刻が閾値未満の場合（ステップＳ４４：Ｙ）に処理はステップＳ４５へ進む。到達時刻が閾値未満でない場合（ステップＳ４４：Ｎ）に処理はステップＳ５１へ進む。
【００９１】
ステップＳ４５において運転特性推定部３４は、他車両２がウインカーの点灯を開始した時刻を判定する。そして、交差エリア４への到達時刻とウインカー点灯開始時刻との時間差を算出する。
ステップＳ４６において運転特性推定部３４は、時間差が第１閾値Ｘ１以上か否かを判断する。時間差が第１閾値Ｘ１以上の場合（ステップＳ４６：Ｙ）に処理はステップＳ４７へ進む。時間差が第１閾値Ｘ１以上でない場合（ステップＳ４６：Ｎ）に処理はステップＳ４８へ進む。
【００９２】
ステップＳ４７において運転特性推定部３４は、Ｃａｕｔｉｏｕｓ尤度を増加させるとともにＯｒｄｉｎａｒｙ尤度とＡｇｇｒｅｓｓｉｖｅ尤度を減少させる。その後に処理はＳ５１へ進む。
ステップＳ４８において運転特性推定部３４は、時間差が第２閾値Ｘ２以上か否かを判断する。時間差が第２閾値Ｘ２以上の場合（ステップＳ４８：Ｙ）に処理はステップＳ４９へ進む。時間差が第２閾値Ｘ２以上でない場合（ステップＳ４８：Ｎ）に処理はステップＳ５０へ進む。
【００９３】
ステップＳ４９において運転特性推定部３４は、Ｏｒｄｉｎａｒｙ尤度を増加させるとともにＣａｕｔｉｏｕｓ尤度とＡｇｇｒｅｓｓｉｖｅ尤度を減少させる。その後に処理はＳ５１へ進む。
ステップＳ５０において運転特性推定部３４は、Ａｇｇｒｅｓｓｉｖｅ尤度を増加させるとともにＣａｕｔｉｏｕｓ尤度とＯｒｄｉｎａｒｙ尤度を減少させる。その後に処理はＳ５１へ進む。
【００９４】
ステップＳ５１において運転特性推定部３４は、予測された他車両２の動作候補の全てがステップＳ４０で選択されたか否かを判断する。全ての動作候補がステップＳ４０で選択済みの場合（ステップＳ５１：Ｙ）に運転特性推定ステップは終了し、処理は図６のステップＳ１６へ進む。
いずれかの動作候補がステップＳ４０で未選択の場合（ステップＳ５１：Ｎ）に処理は図６のステップＳ４０へ戻る。
【００９５】
図９を参照して、運転特性推定ステップの他の一例を説明する。例えば運転特性推定部３４は、車線変更時間に基づいてＡｇｇｒｅｓｓｉｖｅ尤度、Ｏｒｄｉｎａｒｙ尤度及びＣａｕｔｉｏｕｓ尤度を推定してよい。
ステップＳ６０において運転特性推定部３４は、他車両２が車線変更を開始した開始
タイミングを記録する。
ステップＳ６１において運転特性推定部３４は、他車両２が車線変更を終了した終了
タイミングを記録する。
【００９６】
ステップＳ６２において運転特性推定部３４は、ステップＳ６０で記録した開始タイミングとステップＳ６１で記録した終了タイミングに基づき、他車両２による車線変更時間を算出する。
ステップＳ６３において運転特性推定部３４は、車線変更時間が第３閾値Ｘ３以上か否かを判断する。車線変更時間が第３閾値Ｘ３以上の場合（ステップＳ６３：Ｙ）に処理はステップＳ６４へ進む。車線変更時間が第３閾値Ｘ３以上でない場合（ステップＳ６３：Ｎ）に処理はステップＳ６５へ進む。
【００９７】
ステップＳ６４において運転特性推定部３４は、Ｃａｕｔｉｏｕｓ尤度を増加させるとともにＯｒｄｉｎａｒｙ尤度とＡｇｇｒｅｓｓｉｖｅ尤度を減少させる。その後に運転特性推定ステップは終了し、処理は図６のステップＳ１６へ進む。
ステップＳ６５において運転特性推定部３４は、車線変更時間が第４閾値Ｘ４以上か否かを判断する。車線変更時間が第４閾値Ｘ４以上の場合（ステップＳ６５：Ｙ）に処理はステップＳ６６へ進む。車線変更時間が第４閾値Ｘ４以上でない場合（ステップＳ６５：Ｎ）に処理はステップＳ６７へ進む。
【００９８】
ステップＳ６６において運転特性推定部３４は、Ｏｒｄｉｎａｒｙ尤度を増加させるとともにＣａｕｔｉｏｕｓ尤度とＡｇｇｒｅｓｓｉｖｅ尤度を減少させる。その後に運転特性推定ステップは終了し、処理は図６のステップＳ１６へ進む。
ステップＳ６７において運転特性推定部３４は、Ａｇｇｒｅｓｓｉｖｅ尤度を増加させるとともにＣａｕｔｉｏｕｓ尤度とＯｒｄｉｎａｒｙ尤度を減少させる。その後に運転特性推定ステップは終了し、処理は図６のステップＳ１６へ進む。
【００９９】
図６を参照する。ステップＳ１６において運転特性修正部３５は、他車両２の周囲環境の変化が起きた場合に運転特性推定部３４が推定した他車両２の運転特性を修正する。
ステップＳ１６における運転特性修正ステップの一例を図１０に示す。例えば運転特性修正部３５は、先行車両３が平均的な車両の走行速度又は法定速度より低速で走行し続ける場合に、他車両２の運転特性をＯｒｄｉｎａｒｙからＡｇｇｒｅｓｓｉｖｅへ変更してよい。
【０１００】
具体的には、ステップＳ７０において運転特性修正部３５は、他車両２について既に運転特性が推定済みであるか否かを判断する。運転特性が推定済みの場合（ステップＳ７０：Ｙ）に処理はステップＳ７１へ進む。ない場合（ステップＳ７０：Ｎ）に運転特性修正ステップは終了し、処理は図６のステップＳ１７へ進む。
ステップＳ７１において運転特性修正部３５は、他車両２の前方の先行車両３の検出を試みる。他車両２の前方に先行車両３が存在する場合（ステップＳ７２：Ｙ）に処理はステップＳ７３へ進む。先行車両３が存在しない場合（ステップＳ７２：Ｎ）に運転特性を修正せずに運転特性修正ステップは終了し、処理は図６のステップＳ１７へ進む。
【０１０１】
ステップＳ７３において運転特性修正部３５は、先行車両３の速度を推定する。
ステップＳ７４において運転特性修正部３５は、先行車両３の速度が平均的な周囲車両の速度より低いか否かを判断する。先行車両３の速度が平均的な周囲車両の車速より低い場合（ステップＳ７４：Ｙ）に処理はステップＳ７５へ進む。先行車両３の速度が平均的な周囲車両の車速より低くない場合（ステップＳ７４：Ｎ）に運転特性を修正せずに運転特性修正ステップは終了し、処理は図６のステップＳ１７へ進む。
【０１０２】
ステップＳ７５において運転特性修正部３５は、他車両２の運転特性がＯｒｄｉｎａｒｙであるか否かを判断する。運転特性として尤度が推定される場合、例えば運転特性修正部３５は、Ｏｒｄｉｎａｒｙ尤度が所定値以上であるか否かに応じて運転特性がＯｒｄｉｎａｒｙであるか否かを判断してよい。また例えば、Ｏｒｄｉｎａｒｙ尤度が他の尤度（すなわちＡｇｇｒｅｓｓｉｖｅ尤度及びＣａｕｔｉｏｕｓ尤度）よりも高いか否かに応じて運転特性がＯｒｄｉｎａｒｙであるか否かを判断してよい。
運転特性がＯｒｄｉｎａｒｙである場合（ステップＳ７５：Ｙ）に処理はステップＳ７６へ進む。運転特性がＯｒｄｉｎａｒｙでない場合（ステップＳ７５：Ｎ）に運転特性を修正せずに運転特性修正ステップは終了し、処理は図６のステップＳ１７へ進む。
【０１０３】
ステップＳ７６において運転特性修正部３５は、他車両２の運転特性をＯｒｄｉｎａｒｙからＡｇｇｒｅｓｓｉｖｅへ変更する。例えば運転特性修正部３５は、Ａｇｇｒｅｓｓｉｖｅ尤度を増加させるとともにＣａｕｔｉｏｕｓ尤度とＯｒｄｉｎａｒｙ尤度を減少させてよい。その後に運転特性修正ステップは終了し、処理は図６のステップＳ１７へ進む。
なお、図１０の運転特性修正ステップは、運転特性修正部３５による運転特性の修正処理の一例であり、運転特性修正部３５は他の処理によって運転特性推定部３４が推定した他車両２の運転特性を修正してもよい。
【０１０４】
例えば、運転特性修正部３５は、上述のとおり他車両２と先行車両３とが接近する場合、他車両２の前方に落下物や道路工事などの障害物が現れた場合、渋滞最後尾の車両が先行車両３となった場合に、先行車両３がバスであり且つ停止すると予測される場合、前方の路面が低μへ変化した場合、前方の視界が悪化した場合、通行人の多い場所を他車両２が走行する場合、他車両２の前方に警察関連施設が存在する場合、他車両２の周囲に警察車両が存在する場合に、他車両２の運転特性を修正してもよい。
【０１０５】
図６を参照する。ステップＳ１７において動作予測部２３は、運転特性修正部３５が修正したＣａｕｔｉｏｕｓ尤度、Ｏｒｄｉｎａｒｙ尤度及びＡｇｇｒｅｓｓｉｖｅ尤度（運転特性修正部３５による修正がない場合には運転特性推定部３４により推定されたこれらの尤度）を、動作候補予測部３１及び動作候補修正部３２が予測した複数の動作候補（すなわち運転特性に応じて異なる動作候補）が他車両２の動作となるそれぞれの第１尤度α１として決定する。
【０１０６】
ステップＳ１８においてコントローラ１４は、ステップＳ１で検出された全ての他車両２についてステップＳ１３〜Ｓ１７の処理を行ったか否かを判断する。全ての他車両２について処理を行った場合（ステップＳ１８：Ｙ）に処理はステップＳ１９へ進む。他車両２のいずれかについて処理を行っていない場合（ステップＳ１８：Ｎ）に処理はステップＳ１３へ戻る。
【０１０７】
ステップＳ１９において軌道予測部３３は、他車両２が挙動を維持し、且つ予測された動作意図にしたがって動作する場合の他車両２の実効軌道を、例えばカルマンフィルターなどの既知の状態推定技術を用いて演算する。
ステップＳ２０において尤度推定部３６は、動作候補予測部３１及び動作候補修正部３２が予測した動作候補の基本軌道と実効軌道とを対比する。尤度推定部３６は、基本軌道と実効軌道との差分に基づいて、動作候補予測部３１及び動作候補修正部３２が予測した動作候補が他車両２の動作となるそれぞれの第２尤度α２を推定する。
【０１０８】
ステップＳ２１において尤度推定部３６は、第１尤度α１に基づいて各動作候補の第２尤度α２に重み付けを行い、各動作候補について、他車両２と動作となり得る尤もらしさとして最終的な尤度（最終尤度α）をそれぞれ決定する。
ステップＳ２２においてコントローラ１４は、動作候補予測部３１及び動作候補修正部３２が予測した動作候補の全てについてステップＳ１９〜Ｓ２１の処理を行ったか否かを判断する。いずれか動作候補について処理が行われていない場合に（ステップＳ２２：Ｎ）処理はステップＳ１９へ戻る。
【０１０９】
全動作候補について処理を行った場合に（ステップＳ２２：Ｙ）処理はステップＳ２３へ進む。全動作候補について最終尤度αが決定されると、尤度推定部３６は、尤も最終尤度αが高い動作候補を他車両２の動作として決定する。
ステップＳ２３においてコントローラ１４は、ステップＳ１で検出された全ての他車両２についてステップＳ１９〜Ｓ２２の処理を行ったか否かを判断する。全ての他車両２について処理を行った場合（ステップＳ２３：Ｙ）に他車両動作予測ステップは終了し、処理は図５のステップＳ７へ進む。いずれかの他車両２について処理を行っていない場合（ステップＳ２３：Ｎ）に処理はステップＳ１９へ戻る。
【０１１０】
（実施形態の効果）
（１）走行支援装置１０のコントローラ１４は、自車両１の周囲における他車両２の動作を予測する動作予測方法を実行する。この動作予測方法において運転特性推定部３４は、特定の第１運転環境に基づいて他車両２の第１運転特性を推定する。運転特性修正部３５は、第１運転特性に基づいて、第１運転環境とは異なる第２運転環境における他車両２の第２運転特性を演算する。動作候補予測部３１、動作候補修正部３２、軌道予測部３３及び尤度推定部３６は、他車両２の運転環境が第１運転環境から第２運転環境になった場合、第２運転特性に基づいて他車両２の動作を予測する。
【０１１１】
これにより、他車両２の運転特性に基づいて他車両の動作を予測する場合に、予測精度を向上できる。例えば他車両２の周囲環境に変化が起きた場合に他車両２の運転特性を修正することで、他車の動作を精度よく予測でき、自車両１の軌道を早期に修正できるため、より安全で滑らかな走行ができる。
【０１１２】
（２）他車両２の前方環境に変化が起きた場合に、運転特性修正部３５は、他車両２の前方環境が第１運転環境から第２運転環境になったことに基づき、第２運転特性を演算する。
これにより、他車両２の前方環境に変化が起きた場合に他車両２の運転特性を修正することで、他車の動作を精度よく予測することができ、自車両１の軌道を早期に修正できるため、より安全で滑らかな走行ができる。
【０１１３】
（３）尤度推定部３６は、第１運転特性及び第２運転特性にそれぞれ基づいて他車両２の動作として予測された各第１予測軌道と、他車両２の実際の挙動に基づき予測された他車両２の第２予測軌道と、の間の各比較結果に基づいて、第１運転特性に基づく第１予測軌道及び第２運転特性に基づく第１予測軌道のいずれかを選択する。
運転特性に加えて他車両２の実際の挙動に基づき他車両２の軌道を推定することにより、他車両２の動作をより高精度に推定でき、自車両１の軌道をより適切に修正できる。
【０１１４】
（４）第１運転特性は運転操作が比較的急な第１特性（例えばＡｇｇｒｅｓｓｉｖｅ）及び運転操作が比較的緩慢な第２特性（例えばＯｒｄｉｎａｒｙ）のいずれか一方であり、第２運転特性は第１特性及び第２特性の他方である。
これにより、他車両２の運転操作が急であるか緩慢であるかに応じて他車両２の動作を予測できるため、例えば運転操作が急な他車両２に対して自車両１の軌道を早期に修正でき、より安全で滑らかな走行ができる。
【０１１５】
（５）運転特性修正部３５は、他車両２の周囲環境が第１運転環境から第２運転環境になったこととして、平均的な車両の走行速度又は法定速度よりも低速で走行する車両が他車両２の先行車両３となったことに基づいて、第１特性である第２運転特性を演算する。
これにより、先行車両３が低速で走行する場合に、他車両２の運転特性を第１特性へと修正することにより、他車両２の車線変更の軌道をより高精度に推定でき、その結果、自車両１の軌道をより安全で滑らかにできる。
【０１１６】
（６）運転特性修正部３５は、他車両２の周囲環境が第１運転環境から第２運転環境になったこととして、他車両２の先行車両３と他車両２とが接近することに基づいて、第１特性である前記第２運転特性を演算する。
これにより、先行車両３の速度が低く、相対速度が高く、且つ先行車両３の加速度の変化がない場合に、他車両２の運転特性を第１特性へと修正することにより、他車両２の車線変更の軌道をより高精度に推定でき、その結果、自車両１の軌道をより安全で滑らかにできる。
【０１１７】
（７）運転特性修正部３５は、他車両２の周囲環境が第１運転環境から第２運転環境になったこととして、他車両２の前方に障害物が現れたことに基づいて、第１特性である前記第２運転特性を演算する。
これにより、他車両２の前方に障害物があることにより他車両２の運転特性を第１特性へと修正することで、他車両２の車線変更の軌道をより高精度に推定でき、その結果、自車両１の軌道をより安全で滑らかにできる。
【０１１８】
（８）運転特性修正部３５は、他車両２の周囲環境が第１運転環境から第２運転環境になったこととして、渋滞最後尾の車両が他車両２の先行車両３となったことに基づいて、第１特性である第２運転特性を演算する。
これにより、渋滞最後尾の車両が他車両２の先行車両３となった場合に、他車両２の運転特性を第１特性へと修正することで、他車両２の車線変更の軌道をより高精度に推定でき、その結果、自車両１の軌道をより安全で滑らかにできる。
【０１１９】
（９）運転特性修正部３５は、他車両２の周囲環境が第１運転環境から第２運転環境になったこととして、停止すると予測されるバスが他車両の先行車両３となったことに基づいて、第１特性である第２運転特性を演算する。
これにより、先行車両３がバスであり停止しそうな場合に、他車両２の運転特性を第１特性へと修正することで、他車両２の車線変更の軌道をより高精度に推定でき、その結果、自車両１の軌道をより安全で滑らかにできる。
【０１２０】
（１０）運転特性修正部３５は、他車両２の周囲環境が第１運転環境から第２運転環境になったこととして、他車両２の前方の路面が低μへ変化したことに基づいて、第２特性である第２運転特性を演算する。
これにより、雨や雪などで路面が低μへ変化した場合に、他車両２の運転特性を第２特性へと修正することで、自車両１が不必要な減速をすることなく全体の交通量を妨げない走行ができる。
【０１２１】
（１１）運転特性修正部３５は、他車両２の周囲環境が第１運転環境から第２運転環境になったこととして、他車両２の前方の視界が悪化したことに基づいて、第２特性である第２運転特性を演算する。
これにより、雪、雨、霧などで前方の視界が悪化した場合に、他車両２の運転特性を第２特性へと修正することで、自車両１が不必要な減速をすることなく全体の交通量を妨げない走行ができる。
【０１２２】
（１２）運転特性修正部３５は、他車両２の周囲環境が第１運転環境から第２運転環境になったこととして、通行人の多い場所を他車両２が走行することが予想されることに基づいて、第２特性である第２運転特性を演算する。
これにより、歩行者や通行人が多く存在する場合に、他車両２の運転特性を第２特性へと修正することで、自車両１が不必要な減速をすることなく全体の交通量を妨げない走行ができる。
【０１２３】
（１３）運転特性修正部３５は、他車両２の周囲環境が第１運転環境から第２運転環境になったこととして、他車両２の前方に警察関連施設が存在することに基づいて、第２特性である第２運転特性を演算する。
これにより、警察関連施設が存在する場合に、他車両２の運転特性を第２特性へと修正することで、自車両１が不必要な減速をすることなく全体の交通量を妨げない走行ができる。
【０１２４】
（１４）運転特性修正部３５は、他車両２の周囲環境が第１運転環境から第２運転環境になったこととして、他車両２の周囲に警察車両が存在することに基づいて、第２特性である第２運転特性を演算する。
これにより、警察車両が存在する場合に、他車両２の運転特性を第２特性へと修正することで、自車両１が不必要な減速をすることなく全体の交通量を妨げない走行ができる。
【符号の説明】
【０１２５】
１…自車両、２…他車両、３…先行車両、１０…走行支援装置、１１…物体検出装置、１２…自車両位置推定装置、１３…地図取得装置、１４…コントローラ、２０…検出統合部、２１…物体追跡部、２２…地図内位置演算部、２３…動作予測部、２４…自車両経路生成部、２５…車両制御部、３０…挙動判定部、３１…動作候補予測部、３２…動作候補修正部、３３…軌道予測部、３４…運転特性推定部、３５…運転特性修正部、３６…尤度推定部
【図１】
2019151309.tif 000003
【図２】
2019151309.tif 000004
【図３】
2019151309.tif 000005
【図４Ａ】
2019151309.tif 000006
【図４Ｂ】
2019151309.tif 000007
【図５】
2019151309.tif 000008
【図６】
2019151309.tif 000009
【図７】
2019151309.tif 000010
【図８】
2019151309.tif 000011
【図９】
2019151309.tif 000012
【図１０】
2019151309.tif 000013